【手続補正書】
【提出日】平成16年7月6日(2004.7.6)
【手続補正１】
【補正対象書類名】明細書
【補正対象項目名】００１３
【補正方法】変更
【補正の内容】
【００１３】
それゆえに、本発明の目的は、ユーザ側での実際の利用度合に応じた利用料金を求めることができる有料情報提供システムを提供することである。
また、本発明の他の目的は、ユーザ側での初期的な設備負担額を軽減でき、しかも情報提供業者と重複契約をする必要がない有料情報提供システムを提供することである。
【手続補正２】
【補正対象書類名】明細書
【補正対象項目名】００６９
【補正方法】変更
【補正の内容】
【００６９】
サーバ２で受信されデスクランブルされた有料情報は、ある場合には、即座に端末３に出力され、端末３でリアルタイムに利用される。また、別の場合には、サーバ２で受信されデスクランブルされた有料情報は、一旦、サーバ２の内部で記録され、後に端末３からのリクエストに従って読み出され、端末３等で利用される。サーバ２は、いずれの場合にも利用度合に応じた利用料金の計算を行うことができる。
【手続補正３】
【補正対象書類名】明細書
【補正対象項目名】００８８
【補正方法】変更
【補正の内容】
【００８８】
次に、料金係数算出部２５５は、リクエスト内容格納部２５３を検索し、今回のリクエストに含まれる日付・時刻情報「Ｔ１」よりも以前に、タイトル「Ｐ」の有料情報を利用した端末３の延べ台数を計数し保持する（ステップＳ７３）。現時点においては、この延べ台数は、「０」であるものとする（図６参照）。次に、料金係数算出部２５５は、保持している延べ台数に対応する割引率を、割引情報格納部２５４から抽出する（ステップＳ７４）。現時点においては、延べ台数「０」に対応する割引率「０％」が抽出される（図７参照）。次に、料金係数算出部２５５は、保持している基礎料金係数「１．５」および割引率「０％」に基づいて、料金係数「１．５」を算出し、算出した料金係数「１．５」およびタイトル「Ｐ」を第２料金管理部２２３に出力する（ステップＳ７５）。この後、料金係数算出部２５５は、入力したリクエストが含む、端末３の識別子「Ａ」、タイトル「Ｐ」および日付・時刻情報「Ｔ１」を、リクエスト内容格納部２５３に格納し、当該リクエストを内部スクランブラ設定部２５６に出力する。なお、第２料金管理部２２３における処理については後述する。
【手続補正４】
【補正対象書類名】明細書
【補正対象項目名】０１０９
【補正方法】変更
【補正の内容】
【０１０９】
第２の実施形態においては、同一の有料情報を利用した端末の延べ台数に応じて、その有料情報の料金を割り引くことができるシステムについて説明した。しかし、これに限られるものではなく、以下（１）〜（３）に示す割引情報を割引情報格納部２５４に格納することも可能である。
【手続補正５】
【補正対象書類名】明細書
【補正対象項目名】０１１０
【補正方法】変更
【補正の内容】
【０１１０】
（１）有料情報にコマーシャルを含むか否かに応じた割引き
情報提供業者は、有料情報にコマーシャルを含むか否かに応じた割引率（または割引額）を割引情報格納部２５４に予め設定しておく。また、情報提供業者は、ユーザと有料情報の提供に関しての契約をする際、提供する有料情報にコマーシャルを含ませるか否かを選択してもらう。さらに、情報提供業者は、ユーザによって選択された方の有料情報を送信する旨を、前述した契約情報に含ませ、当該契約情報を登録する。送信局ＴＳは、リクエスト送信部２５７からリクエストを受け取ると、契約情報に基づく有料情報を送信する。そして、料金係数算出部２５５は、コマーシャルを含むか否かに応じた割引率等をも参照して料金係数を求める。このようにすれば、有料情報提供業者は、コマーシャルを含む有料情報の提供を受ける契約者と、そうでない契約者との有料情報の料金を差別化できる。これによって、さらに幅広い料金体系を有する有料情報提供システムを構築することができる。
【手続補正６】
【補正対象書類名】明細書
【補正対象項目名】０１１１
【補正方法】変更
【補正の内容】
【０１１１】
（２）ユーザの属性に応じた割引き
第２の実施形態において、端末情報格納部２５２は、端末３の属性にかかる端末情報のみを格納していたが、これだけではなく、端末３を操作するユーザの属性にかかるユーザ情報を格納し、利用した有料情報の料金を、ユーザに応じて異ならせることもできる。例えば、子供や特定の団体の会員等が有料情報を利用する場合、端末情報格納部２５２は、図５に示す基礎料金係数に加えて、当該子供用の基礎料金係数およびこれに対応するＩＤ番号を格納しておく（または、当該会員用の基礎料金係数およびこれに対応するＩＤ番号を格納しておく）。料金係数算出部２５５は、上記ＩＤ番号を含むリクエストを入力すると、子供用の基礎料金係数（または、会員用の基礎料金係数）を参照して料金係数を求める。第２料金管理部２２３は、料金係数算出部２５５によって求められた料金係数に基づいて有料情報の料金を求めるため、ユーザの属性に応じて料金を異ならせることができる。なお、ユーザの属性としては、当該ユーザの年齢、性別または職業等があり、情報提供業者が、これらに基づいて基礎料金係数を自由に設定すればよい。
【手続補正７】
【補正対象書類名】明細書
【補正対象項目名】０１１３
【補正方法】変更
【補正の内容】
【０１１３】
（３）端末情報やユーザ情報を情報提供業者に提供することによる割引き
情報提供業者の提供する有料情報が、どのような端末を介して利用され、またどのようなユーザによって利用されているかを知ることは、マーケティング調査等の観点から情報提供業者にとっては重要事項である。しかし、受信局ＲＳ内に設けられた端末３の属性や、この受信局ＲＳを利用するユーザの属性は、契約者のプライバシーに関わることであり、契約者としては外部に漏れることを望まない。そこで、情報提供業者は、端末情報やユーザ情報をユーザから提供してもらう代償として、提供する有料情報の料金を割り引くための割引率または割引額を割引情報格納部２５４に予め設定しておく。ユーザは、有料情報をリクエストする際、現在利用している端末３の端末情報や自分のユーザ情報を、情報提供業者に提供するか否かを決定する。料金係数算出部２５５は、ユーザが現在利用している端末情報や自分のユーザ情報を提供すると決定した場合、かかる割引情報をも参照して、リクエストされた有料情報の料金係数を求める。また、ユーザが提供すると決定した端末の端末情報やユーザ情報をリクエストに含ませて送信すれば、情報提供業者は、容易にこれらを得ることができる。このように、情報提供業者は、提供した有料情報が受信局ＲＳにおいて、どのような端末を介して利用され、またどのようなユーザが利用しているか等の情報を提供してもらう代償として有料情報の料金を割り引く。これによって、情報提供業者と契約者との間で利益の調和を図ることができ、さらに幅広い料金体系を有する有料情報提供システムを構築することができる。
【手続補正８】
【補正対象書類名】明細書
【補正対象項目名】０１６７
【補正方法】変更
【補正の内容】
【０１６７】
また、内部スクランブラ６５は、Ｘ用復号部６２ｘがデスクランブルした有料情報を、乱数発生部６７が発生した乱数を用いて再スクランブルし、さらに、その乱数を、データ記録部６６が記憶している端末３毎の秘密鍵を用いて暗号化する。再スクランブルされた有料情報および暗号化された乱数が端末３に伝達されると、内部デスクランブラ３７は、当該暗号化された乱数を自己の秘密鍵を用いて復号し、さらに、当該再スクランブルされた有料情報を復号した乱数を用いてデスクランブルする。これにより、サーバ２から端末３に、安全に有料情報を伝達することができる。
【手続補正９】
【補正対象書類名】明細書
【補正対象項目名】０１６８
【補正方法】変更
【補正の内容】
【０１６８】
なお、内部スクランブラ６５は、Ｘ用復号部６２ｘがデスクランブルした有料情報を、データ記録部６６が記憶している端末３毎の秘密鍵を用いて再スクランブルし、内部デスクランブラ３７は、再スクランブルされた有料情報を、自己の秘密鍵を用いてデスクランブルするようにしてもよい。ただし、この場合、有料情報は、毎回、同一の鍵を用いてスクランブルされるため、乱数を用いてスクランブルする場合に比べると、伝達時の安全性は低くなる。
【手続補正１０】
【補正対象書類名】明細書
【補正対象項目名】０１８０
【補正方法】変更
【補正の内容】
【０１８０】
Ｘ用復号部６２ｘがデスクランブルした有料情報は、前述した（１）のリアルタイムに利用する場合と同様にして再スクランブルされたうえで、移動ディスク７に記録される（ステップＳ３０４、ステップＳ３０５）。乱数発生部６７が発生した乱数ｒは、Ｘ用課金部６３ｘが作成した実行権データとともに、ＩＣカード８に記録される（ステップＳ３０６）。
【手続補正１１】
【補正対象書類名】明細書
【補正対象項目名】０１８６
【補正方法】変更
【補正の内容】
【０１８６】
なお、内部スクランブラ６５は、Ｘ用復号部６２ｘがデスクランブルした有料情報を、データ記録部６６が記憶している端末３毎の秘密鍵を用いて再スクランブルし、内部デスクランブラ３７は、再スクランブルされた有料情報を、自己の秘密鍵を用いてデスクランブルするようにしてもよい。ただし、この場合も、実行権データが所定の条件を満たす場合にのみ、有料情報が利用される必要がある。